(57)【特許請求の範囲】
【請求項１】
ハウジングのコンタクト挿入向き手前側に配置された一括シール部材と、該一括シール部材のコンタクト挿入向き手前側に位置して前記一括シール部材を前記ハウジングに対して押え付ける一括シール押え付け部材とを備え、前記一括シール部材には、前記ハウジングに設けられた複数のコンタクト収容キャビティに対応する位置に形成されるとともに、コンタクト挿入向きに貫通する複数の挿通孔が設けられ、前記一括シール押え付け部材には、前記挿通孔に対応する位置に形成されるとともに、コンタクト挿入向きに貫通する複数の貫通孔が設けられた防水構造であって、
コンタクトが前記貫通孔に対して斜めに挿入されたときに前記コンタクトの斜め挿入を解消する方向の回転モーメントを前記コンタクトに付与する突起部を前記貫通孔内に設け、
前記突起部が、前記コンタクトのうち前記一括シール部材に接触して損傷を与える部分となるコンタクトの先端部に接触して前記回転モーメントを付与するように、前記貫通孔の周壁面の一部に設けられ、
前記突起部が、コンタクト挿入向きに対して傾斜する傾斜面を有することを特徴とする防水構造。
【請求項２】
前記突起部が、前記傾斜面の終端部に前記コンタクト挿入向きと略平行に延びる頂面を有することを特徴とする請求項１記載の防水構造。
【請求項３】
前記突起部が、前記貫通孔のコンタクト挿入向きにおいて中央よりも奥側に設けられていることを特徴とする請求項１又は２記載の防水構造。
【請求項４】
請求項１乃至３のいずれか一項に記載の防水構造を備えることを特徴とする防水コネクタ。
【発明の詳細な説明】
【技術分野】
【０００１】
本発明は、一括シール部材を有する防水構造及びその防水構造を備えた防水コネクタに関する。
【背景技術】
【０００２】
従来、一括シール部材を有する防水構造を備えた防水コネクタとして、例えば、図８に示すものが知られている（特許文献１参照）。図８は、従来例の防水コネクタの断面図である。
図８に示す防水コネクタ１０１は、複数のコンタクト収容キャビティ１１１を有するハウジング１１０と、ハウジング１１０のコンタクト収容キャビティ１１１に収容される複数のコンタクト１５０と、ハウジング１１０の後端部（図１における右端部、コンタクト挿入向き手前側端部）に形成された凹部１１２に嵌合された一括シール部材１２０と、一括シール部材１２０の後側からハウジング１１０に装着されて一括シール部材１２０の後側（コンタクト挿入向き手前側）に位置し、一括シール部材１２０をハウジング１１０に対して押え付ける一括シール押え付け部材１３０とを具備している。
【０００３】
ハウジング１１０の各コンタクト収容キャビティ１１１には、コンタクト収容キャビティ１１１内に挿入されたコンタクト１５０を係止するハウジングランス１１３が設けられている。
各コンタクト１５０は、金属板を打抜き及び曲げ加工することによって形成され、相手コンタクト（図示せず）を受容する箱形のリセプタクル部１５１と、電線Ｗを接続する電線接続部１５２とを具備している。リセプタクル部１５１の横断面形状は電線Ｗの横断面形状と比べて大きな形状をしている。
【０００４】
また、一括シール部材１２０はゴム製の平板状部材で、一括シール部材１２０には、ハウジング１１０のコンタクト収容キャビティ１１１に対応して設けられたコンタクト挿入向きに貫通する断面円形状の複数の挿通孔１２１が形成されている。各挿通孔１２１には、コンタクト１５０の電線接続部１５２に接続された電線Ｗの外周面に密着して防水機能を果たすシール用環状リブ１２２が設けられている。
更に、一括シール押え付け部材１３０には、一括シール部材１２０の挿通孔１２１に対応して設けられた、コンタクト挿入向きに貫通する断面四角形状の複数の貫通孔１３１が形成されている。各貫通孔１３１の横断面積は各挿通孔１２１の横断面積よりも大きくなっている。
【０００５】
そして、各コンタクト１５０を各コンタクト収容キャビティ１１１に収容するに際しては、各コンタクト１５０のリセプタクル部１５１を先頭にして一括シール押え付け部材１３０の後側（コンタクト挿入向き手前側）から貫通孔１３１、一括シール部材１２０の挿通孔１２１の順に挿通する。そして、各コンタクト１５０を各コンタクト収容キャビティ１１１に挿入し、各ハウジングランス１１３が各コンタクト１５０のリセプタクル部１５１を係止することにより、各コンタクト１５０がハウジング１１０に係止される。防水機能を果たす一括シール部材１２０と、一括シール部材１２０をハウジング１１０に対して押え付ける一括シール押え付け部材１３０とで防水構造１４０を構成している。
【０００６】
ここで、各コンタクト１５０を一括シール部材１２０の各挿通孔１２１に挿通するに際して、各コンタクト１５０のリセプタクル部１５１の先端エッジ部や角部が一括シール部材１２０に、例えば、一括シール部材１２０のシール用環状リブ１２２に接触し、一括シール部材１２０が損傷してしまうことがある。このため、各コンタクト１５０のリセプタクル部１５１の先端エッジ部や角部をＲ加工して一括シール部材１２０の損傷を回避する手段が採られている。
【０００７】
また、直接的に一括シール部材の損傷を回避するものではないが、コンタクトの不正な姿勢での挿入動作を規制する防水コネクタとして、例えば、図９に示すものが知られている（特許文献２参照）。図９は、従来の他の例の防水コネクタの主要部の断面図である。
図９に示す防水コネクタ２０１は、複数のコンタクト収容キャビティ２１１を有するハウジング２１０と、ハウジング２１０のコンタクト収容キャビティ２１１に収容される複数のコンタクト２２０とを具備している。
【０００８】
各コンタクト２２０は、相手コンタクト（図示せず）を受容する箱形のリセプタクル部２２１と、図示しない電線接続部とを備えている。そして、リセプタクル部２２１の略方形の横断面を構成する４つの角部のうち２つの角部に位置する部分に、リセプタクル部２２１を構成する上下左右の外面よりも内側に凹ませた面取り部２２６，２２７が形成されている。これにより、対角に位置する二対の角部２２３と２２５、２２４と２２２の形状が互いに異なり、周方向に隣り合う角部２２２と２２３、２２４と２２５の形状が異なるようにしてある。
【０００９】
ハウジング２１０のコンタクト収容キャビティ２１１には、コンタクト２２０のリセプタクル部２２１が正規の姿勢で挿入されたときに面取り部２２６，２２７が対応する斜辺２１２，２１３が設けられている。
そして、コンタクト２２０のリセプタクル部２２１が不正な姿勢（９０°回転した姿勢）でコンタクト収容キャビティ２１１に収容されたときには、面取り部２２６，２２７が形成されていない角部２２２，２２５が斜辺２１２，２１３と干渉し、コンタクト２２０の挿入が規制されるようになっている。
なお、コンタクト２２０の挿入を規制する手段である面取り部２２６，２２７は、リセプタクル部２２１を構成する上下左右の外面よりも内側に凹んでいるので、一括シール部材（図示せず）の挿通孔にコンタクト２２０を挿通したときに挿通孔の内壁を傷つけることはない。
【特許文献１】特開平７−２４０２５０号公報
【特許文献２】特開２００６−１９０７６号公報
【発明の開示】
【発明が解決しようとする課題】
【００１０】
ところで、図８に示す防水コネクタ１０１や図９に示す防水コネクタ２０１などの防水コネクタは、自動車分野において使用されるのが一般的であり、近年の要請により防水コネクタの小型化が求められるようになってきた。この防水コネクタの小型化の要請に伴い、コンタクトの小型化が必要となっている。一方、コンタクトの小型化が必要であるにもかかわらず、コンタクトに接続される電線のサイズは変わらない。具体的には、コンタクトに接続される電線の直径のサイズには所定の範囲（例えば、φ約１．７ｍｍ〜φ約２．４ｍｍ）があり、コンタクト（リセプタクル部）の外形のうち最も径の大きい部分がその電線の直径の最大サイズよりも小さくすることが必要となっている。
【００１１】
図８に示す防水コネクタ１０１において、電線Ｗの直径のサイズをそのままとし、コンタクト１５０のリセプタクル部１５１の外形のうち径の最も大きい部分を電線Ｗの直径の最大サイズよりも小さくすると、各コンタクト１５０を一括シール部材１２０の各挿通孔１２１に挿通するに際して、リセプタクル部１５１の外形が小さいことから、リセプタクル部１５１が挿通孔１２１に対して真っ直ぐ挿入されればリセプタクル部１５１の先端エッジ部や角部が一括シール部材１２０に対して傾斜のきつい斜めの角度で接触することはなく、一括シール部材１２０を損傷させることはない。
【００１２】
しかしながら、電線Ｗの直径のサイズがそのままであるから、最大サイズの電線Ｗを挿通可能とするために、一括シール部材１２０のコンタクト挿入側（後側）にある一括シール押え付け部材１３０の貫通孔１３１の横断面の径を小さくすることには限界がある。また、各コンタクト１５０を一括シール部材１２０の各挿通孔１２１に挿通するに際して、リセプタクル部１５１が貫通孔１３１に対して斜めに挿入されることがある。その場合には、リセプタクル部１５１が一括シール部材１２０の挿通孔に対して斜めに挿入されて、リセプタクル部１５１の先端エッジ部や角部が一括シール部材１２０に対して傾斜のきつい斜めの角度で接触し、一括シール部材１２０を損傷させることがある。
【００１３】
一方、コンタクト１５０のリセプタクル部１５１の外形のうち径の最も大きい部分を電線Ｗの直径の最大サイズよりも小さくすると、リセプタクル部１５１の先端エッジ部や角部をＲ加工することが困難となる。このため、各コンタクト１５０のリセプタクル部１５１が貫通孔１３１に対して斜めに挿入されたときに、一括シール部材１２０の損傷を回避することができない。
【００１４】
また、図９に示す防水コネクタ２０１の場合には、コンタクト収容キャビティ２１１とコンタクト２２０のリセプタクル部２２１との間の隙間がわずかであるため、コンタクト２２０のリセプタクル部２２１の外形のうち径の最も大きい部分をその電線の直径の最大サイズよりも小さくしたときに、電線がコンタクト収容キャビティ２１１内に進入できないことがある。
従って、本発明は上述の問題点に鑑みてなされたものであり、その目的は、コンタクトが一括シール部材のコンタクト挿入向き手前側にある一括シール押え付け部材の貫通孔に対して斜めに挿入された場合であっても、一括シール部材の損傷を回避することができる防水構造及びこの防水構造を備えた防水コネクタを提供することにある。
【課題を解決するための手段】
【００１５】
上記目的を達成するために、本発明の請求項１に係る防水構造は、ハウジングのコンタクト挿入向き手前側に配置された一括シール部材と、該一括シール部材のコンタクト挿入向き手前側に位置して前記一括シール部材を前記ハウジングに対して押え付ける一括シール押え付け部材とを備え、前記一括シール部材には、前記ハウジングに設けられた複数のコンタクト収容キャビティに対応する位置に形成されるとともに、コンタクト挿入向きに貫通する複数の挿通孔が設けられ、前記一括シール押え付け部材には、前記挿通孔に対応する位置に形成されるとともに、コンタクト挿入向きに貫通する複数の貫通孔が設けられた防水構造であって、コンタクトが前記貫通孔に対して斜めに挿入されたときに前記コンタクトの斜め挿入を解消する方向の回転モーメントを前記コンタクトに付与する突起部を前記貫通孔内に設け、前記突起部が、前記コンタクトのうち前記一括シール部材に接触して損傷を与える部分となるコンタクトの先端部に接触して前記回転モーメントを付与するように、前記貫通孔の周壁面の一部に設けられ、前記突起部が、コンタクト挿入向きに対して傾斜する傾斜面を有することを特徴としている。
【００１６】
また、本発明のうち請求項２に係る防水構造は、請求項１記載の防水構造において、前記突起部が、前記傾斜面の終端部に前記コンタクト挿入向きと略平行に延びる頂面を有することを特徴としている。
また、本発明のうち請求項３に係る防水構造は、請求項１又は２記載の防水構造において、前記突起部が、前記貫通孔のコンタクト挿入向きにおいて中央よりも奥側に設けられていることを特徴としている。
更に、本発明のうち請求項４に係る防水コネクタは、請求項１乃至３のいずれか一項に記載の防水構造を備えることを特徴としている。
【発明の効果】
【００１７】
本発明のうち請求項１に係る防水構造及び請求項４に係る防水コネクタに防水コネクタによれば、コンタクトが一括シール押え付け部材に設けられた貫通孔に対して斜めに挿入されたときにコンタクトの斜め挿入を解消する方向の回転モーメントをコンタクトに付与する突起部を貫通孔内に設けたので、コンタクトが一括シール部材のコンタクト挿入向き手前側にある一括シール押え付け部材の貫通孔に対して斜めに挿入されたときに、突起部がコンタクトの斜め挿入を解消する方向の回転モーメントをコンタクトに付与し、これにより、コンタクトが一括シール部材の挿通孔に対してほぼ真っ直ぐに挿入される。このため、コンタクトの先端がエッジ部や角部が一括シール部材に対して傾斜のきつい斜めの角度で接触することが回避され、一括シール部材の損傷を回避することができる。
【００１８】
また、本発明のうち請求項１に係る防水構造によれば、前記突起部が、前記コンタクトのうち前記一括シール部材に接触して損傷を与える部分となるコンタクトの先端部に接触して前記回転モーメントを付与するように、前記貫通孔の周壁面の一部に設けられているので、コンタクトが一括シール押え付け部材の貫通孔に対して斜めに挿入されたときに、突起部がコンタクトのうち一括シール部材に接触して損傷を与える部分となるコンタクトの先端部に接触してコンタクトの斜め挿入を解消する方向の回転モーメントをコンタクトに付与し、これにより、コンタクトが一括シール部材の挿通孔に対してほぼ真っ直ぐに挿入される。このため、コンタクトのうち一括シール部材に接触して損傷を与える部分となるコンタクトの先端部が一括シール部材に対してきつい斜め角度で接触することが回避され、一括シール部材の損傷を回避することができる。請求項５に係る防水コネクタによっても同様の効果を得ることができる。
【００１９】
更に、本発明のうち請求項３に係る防水構造によれば、請求項１又は２記載の防水構造において、前記突起部が、前記貫通孔のコンタクト挿入向きにおいて中央よりも奥側に設けられているので、コンタクトが一括シール押え付け部材の貫通孔に対して傾斜のゆるい斜め角度で挿入されたときであっても、突起部がコンタクトに確実に接触してコンタクトの斜め挿入を解消する方向の回転モーメントをコンタクトに付与することができる。請求項４に係る防水コネクタによっても同様の効果を得ることができる。
【発明を実施するための最良の形態】
【００２０】
以下、本発明の実施の形態を図面を参照して説明する。図１は、本発明に係る防水構造を備えた防水コネクタの分解斜視図である。図２は、一括シール部材を示し、（Ａ）は正面図、（Ｂ）は（Ａ）の２Ｂ−２Ｂ線に沿う断面図である。図３は、アウターハウジングを示し、（Ａ）は平面図、（Ｂ）は正面図である。図４は、アウターハウジングに設けられた貫通孔を示し、（Ａ）は貫通孔を正面側から見た図３（Ｂ）の矢印４Ａで示す部分の拡大図、（Ｂ）は（Ａ）の４Ｂ−４Ｂ線に沿う断面図、（Ｃ）は貫通孔を背面側から見た拡大図である。図５は、コンタクトを示し、（Ａ）は斜視図、（Ｂ）は側面図、（Ｃ）はリセプタクル部の断面図である。
【００２１】
図１に示す防水コネクタ１は、倍力機構を採用したレバー式コネクタであって、複数のコンタクト２（図５参照）が収容されるインナーハウジング（ハウジング）１０と、フロントカバー２０と、リテーナ３０と、シール部材４０と、一括シール部材５０と、アウターハウジング（一括シール押え付け部材）６０と、１対のスライダ７０と、ワイヤカバー８０と、レバー９０とを具備している。
【００２２】
先ず、各コンタクト２は、図５に示すように、箱形のリセプタクル部３と、電線接続部４とを備え、金属板を打抜き及び曲げ加工することによって形成されている。リセプタクル部３は、前後方向（図５（Ｂ）における左右方向）に延びる基板部３ａと、基板部３ａの両側縁から立ち上がる１対の側壁部３ｂ，３ｇと、一方の側壁部３ｂから他方の側壁部３ｇに向けて延びる下側頂板部３ｃと、他方の側壁部３ｇから一方の側壁部３ｂに向けて延び、下側頂板部３ｃ上に載る上側頂板部３ｄとを備えている。リセプタクル部３には、図示しない雄型の相手コンタクトが挿入される。そして、下側頂板部３ｃからは、相手コンタクトに弾性接触する弾性接触片３ｅが延びている。電線接続部４は、図示しない電線の芯線を圧着接続するワイヤバレル４ａと、電線の被覆部を圧着接続するインシュレーションバレル４ｂとを備えている。各コンタクト２は、金属板から打抜き及び曲げ加工された直後には、図５（Ａ）、（Ｂ）に示すように、インシュレーションバレル４ｂの後端部がキャリアＣに接続され、その一方、リセプタクル部３の基板部３ａの先端部３ｆが図示しないキャリアに接続されている。そして、各コンタクト２は、インナーハウジング１０へ挿入時にキャリアから切断される。
ここで、コンタクト２に接続される電線の直径のサイズは、所定の範囲（例えば、φ約１．７ｍｍ〜φ約２．４ｍｍ）があり、コンタクト２のリセプタクル部３の外形のうち最も径の大きい部分がその電線の直径の最大サイズ（例えば、φ約２．４ｍｍ）よりも小さくなっている。
【００２３】
次に、インナーハウジング１０は、図１に示すように、幅方向（図１おける左右方向）、上下方向（図１における上下方向）及び前後方向（図１における紙面に対して直交する方向、紙面に対して奥側を前側、紙面に対して手前側を後側とする）に延びるように構成されている。インナーハウジング１０は、絶縁性の樹脂を成形することによって形成される。インナーハウジング１０には、前後方向に貫通する複数のコンタクト収容キャビティ１１が設けられている。各コンタクト収容キャビティ１１には、リセプタクル部３を先頭にしたコンタクト２がコンタクト挿入向き（図１における矢印Ａ向き、即ち前向き）に挿入される。そして、各コンタクト２は、図示しないハウジングランスによって一次的に係止される。また、インナーハウジング１０の後側（コンタクト挿入向き手前側）には、一括シール部材５０を収容する一括シール部材収容空間１２が設けられている。インナーハウジング１０の幅方向両端には、アウターハウジング６０をインナーハウジング１０に係止するための１対のラッチアーム１３が設けられている。
また、フロントカバー２０は、インナーハウジング１０の前側に装着されるよう構成されている。フロントカバー２０は、図１に示すように、幅方向に延びてインナーハウジング１０の前面を覆うとともに、相手コンタクトが挿入される複数の相手コンタクト挿入孔２１が形成されている。
【００２４】
次に、リテーナ３０は、インナーハウジング１０の下側からインナーハウジング１０に形成されたリテーナ収容凹部（図示せず）内に装着されるよう構成され、図１に示すように、幅方向に延びる略板状に形成されている。リテーナ３０は、インナーハウジング１０に設けられたコンタクト収容キャビティ１１に対応するように形成された複数のコンタクト挿通孔３１を有している。そして、リテーナ３０は、コンタクト２がコンタクト挿通孔３１を通ってコンタクト収容キャビティ１１内に挿入可能となる仮係止位置でインナーハウジング１０に仮保持され、更に押し込まれて本係止位置でインナーハウジング１０に固定される。リテーナ３０が本係止位置でインナーハウジング１０に固定されると、コンタクト２がリテーナ３０により二次的に係止される。
【００２５】
また、シール部材４０は、図１に示すように、リング状に形成されてインナーハウジング１０の外側に密着するようになっている。このシール部材４０は、相手コネクタが防水コネクタ１に嵌合したときに、相手コネクタとインナーハウジング１０との間をシールし、嵌合部からインナーハウジング１０の内部に水が浸入するのを阻止する機能を有する。
【００２６】
また、一括シール部材５０は、図１及び図２に示すように、略板状に形成されたゴム製の部材であり、インナーハウジング１０のコンタクト挿入向き手前側に形成された一括シール部材収容空間１２内に収容される。これにより、一括シール部材５０はインナーハウジング１０のコンタクト挿入向き手前側に配置される。そして、一括シール部材５０は、インナーハウジング１０の一括シール部材収容空間１２を形成する外壁部分の内周面に密着するようになっている。一括シール部材５０には、インナーハウジング１０に設けられたコンタクト収容キャビティ１１に対応する位置に形成された断面円形状の複数の挿通孔５１が設けられている。各挿通孔５１は、図１及び図２に示すように、コンタクト挿入向きに貫通している。コンタクト収容キャビティ１１内に収容されたコンタクト２に接続された電線（図示せず）は、挿通孔５１を通って後方に導出される。各挿通孔５１の内周面には、図２（Ｂ）に示すように、複数の環状シール部５２が形成されており、これら環状シール部５２は、電線の外周面に密着し、挿通孔５１からインナーハウジング１０の内部への水の浸入を阻止するようになっている。
【００２７】
更に、アウターハウジング６０は、一括シール部材５０のコンタクト挿入向き手前側（後側）に位置し、インナーハウジング１０に設けられたラッチアーム１３によってインナーハウジング１０に係止される。これにより、一括シール部材５０をインナーハウジング１０に対して押え付ける。アウターハウジング６０は、図１及び図３に示すように、幅方向、前後方向及び上下方向に延びる略直方体形状に形成されている。このアウターハウジング６０には、図１、図３及び図４に示すように、一括シール部材５０に設けられた挿通孔５１に対応する位置に形成された断面四角形状の複数の貫通孔６１が設けられている。各貫通孔６１は、コタクト挿入向きに貫通している。各コンタクト２に接続された電線は、一括シール部材５０の各挿通孔５１及び各アウターハウジング６０の貫通孔６１を通って後方へ導出される。一括シール部材５０とアウターハウジング６０とで請求項１乃至３で規定した防水構造を構成する。
【００２８】
ここで、各貫通孔６１には、コンタクト２のリセプタクル部３が貫通孔６１に対して斜めに挿入されたときにコンタクト２の斜め挿入を解消する方向の回転モーメントをコンタクト２に付与する突起部６２が設けられている。突起部６２は、コンタクト２に設けられたリセプタクル部３のうち一括シール部材５０に接触して損傷を与える部分となる、本実施形態にあっては、キャリアが切断される、リセプタクル部３の基板部３ａの先端部３ｆに接触して回転モーメントをコンタクト２に付与するように、図４に示すように、貫通孔６１の周壁面の一部（本実施形態にあっては、貫通孔６１の下壁面）に設けられている。なお、リセプタクル部３の基板部３ａの先端部３ｆは、キャリアが切断される部分であるから、切断面が刺刺しくなっており、ゴム製の一括シール部材５０に接触すると、一括シール部材５０が損傷し易い。
【００２９】
更に、突起部６２は、図４（Ｂ）に示すように、貫通孔６１のコンタクト挿入向き（図４（Ｂ）における矢印Ａ向き）において中央よりも奥側に設けられている。また、突起部６２は、図４（Ａ）、（Ｃ）に示すように、左右対称形状で１対設けられている。各突起部６２は、図４（Ｂ）に示すように、コンタクト挿入向きに対してなだらかな傾斜面６２ａで立ち上がり、頂面６２ｂはコンタクト挿入向きと略平行になっている。各突起部６２の高さｈは、各コンタクト２におけるインシュレーションバレル４ｂの下面とリセプタクル３を構成する基板部３ａの下面との間の間隔ｄ（図５（Ｂ）参照）とほぼ等しくなっている。突起部６２の作用については、後に詳述する。
【００３０】
また、アウターハウジング６０の上下両端部には、幅方向に延びる１対のスライダ収容溝６３が形成されている。
図１に示す各スライダ７０は略板状に形成され、アウターハウジング６０のスライダ収容溝６３内にスライド動作可能に収容されている。各スライダ７０の内側の面には、相手コネクタに設けられたカムピン（図示せず）が入り込むカム溝７１が形成されている。各スライダ７０の後端縁には、ラック部７２が形成されている。
【００３１】
また、ワイヤカバー８０は、アウターハウジング６０の後側に取り付けられ、アウターハウジング６０の各貫通孔６１から後方へ導出された電線の束を保護する。
更に、レバー９０は、ワイヤカバー８０に対して回動可能に支持され、スライダ７０に設けられたラック部７２に噛合するピニオン部９１が先端に形成されている。レバー９０及びスライダ７０は倍力機構として作用するもので、レバー９０を回動するとスライダ７０が幅方向に移動し、これにより、相手コネクタが引き寄せられたり、防水コネクタ１から分離させられたりするようになっている。
【００３２】
次に、アウターハウジング６０の貫通孔６１に設けられた突起部６２の作用を、コンタクト２のインナーハウジング１０への収容方法とともに説明する。図６は、コンタクト収容時における突起部の作用を説明するもので、（Ａ）は縦断面図、（Ｂ）は（Ａ）の６Ｂ−６Ｂ線に沿う断面図である。
各コンタクト２をインナーハウジング１０に収容する前に、フロントハウジング２０及びシール部材４０をインナーハウジング１０に装着し、一括シール部材５０を一括シール収容空間１２内に収容する。次に、アウターハウジング６０をインナーハウジング１０に装着した後、スライダ７０をアウターハウジング６０に取り付ける。また、リテーナ３０を仮係止位置でインナーハウジング１０に対して仮保持しておく。
【００３３】
そして、電線を接続した各コンタクト２を、リセプタクル部３を先頭にしてアウターハウジング６０の後方からコンタクト挿入向きに貫通孔６１及び一括シール部材５０の挿通孔５１の順に通過させてインナーハウジング１０のコンタクト収容キャビティ１１内に挿入する。すると、ハウジングランスがコンタクト２を一次的に係止する。
次いで、リテーナ３０を本係止位置に移動させてインナーハウジング１０に固定すると、コンタクト２がリテーナ３０により二次的に係止され、これにより、各コンタクト２のインナーハウジング１０への収容が完了する。
【００３４】
ここで、アウターハウジング６０に設けられた貫通孔６１の横断面のサイズは、直径が最大サイズ（例えば、φ約２．４ｍｍ）の電線を挿通可能なようになっており、また、コンタクト２のリセプタクル部３の外形のうち最も径の大きい部分がその電線の直径の最大サイズよりも小さくなっている。このため、各コンタクト２を、リセプタクル部３を先頭にしてアウターハウジング６０の後方から貫通孔６１及び一括シール部材５０の挿通孔５１を通過させるときに、図６（Ａ），（Ｂ）に示すように、リセプタクル部３が貫通孔６１に対して斜めに挿入されることがある。図６（Ａ），（Ｂ）においては、リセプタクル部３のうち一括シール部材５０に接触して損傷を与える部分（リセプタクル部３の基板部３ａの先端部３ｆ）が一括シール部材５０に接触する向きで貫通孔６１に対して斜めに挿入されている。このとき、貫通孔６１の周壁面の一部（本実施形態にあっては、下壁面）に設けられた突起部６２に、一括シール部材５０に接触して損傷を与える部分が接触し、これによりコンタクト２に対してコンタクト２の斜め挿入を解消する方向（図６（Ａ）における矢印Ｂ方向）の回転モーメントが付与される。これにより、コンタクト２が一括シール部材５０の挿通孔５１に対してほぼ真っ直ぐに挿入される。このため、コンタクト２のうち一括シール部材に接触して損傷を与える部分が一括シール部材５０に対して傾斜のきつい斜めの角度（すなわち、コンタクト挿入向きに対して大きな角度）で接触することが回避され、一括シール部材５０の損傷を回避することができる。
【００３５】
また、突起部６２が、貫通孔６１のコンタクト挿入向きにおいて中央よりも奥側に設けられているので、コンタクト２がアウターハウジング６０の貫通孔６１に対して傾斜のゆるい斜めの角度で挿入されたときであっても、突起部６２がコンタクト２のリセプタクル部３に確実に接触してコンタクト２の斜め挿入を解消する方向の回転モーメントをコンタクト２に付与することができる。
【００３６】
また、突起部６２は、図４（Ｂ）に示すように、コンタクト挿入向きに対してなだらかな傾斜面６２ａで立ち上がり、頂面６２ｂはコンタクト挿入向きと略平行となっているので、リセプタクル部３が貫通孔６１に対して斜めに挿入されたときに、傾斜面６２ａで突っ掛かかることはない。
これに対して、貫通孔６１に突起部６２を設けていない場合の作用について図７を参照して簡単に説明する。図７は、コンタクト収容時における突起部がない場合の作用を説明するもので、（Ａ）は縦断面図、（Ｂ）は（Ａ）の７Ｂ−７Ｂ線に沿う断面図である。
【００３７】
図７（Ａ），（Ｂ）に示すように、リセプタクル部３が貫通孔６１に対して斜めに挿入されると、突起部６２が貫通孔６１に設けられていないので、リセプタクル部３のうち一括シール部材５０に接触して損傷を与える部分（リセプタクル部３の基板部３ａの先端部３ｆ）が一括シール部材５０に対して傾斜のきつい斜めの角度で接触する。このため、一括シール部材５０の損傷を回避することができない。
そして、各コンタクト２のインナーハウジング１０への収容が完了した後には、レバー９０をワイヤカバー８０に取り付け、更に、ワイヤカバー８０をアウターハウジング６０に取り付けて防水コネクタ１は完成する。
【００３８】
以上、本発明の実施形態について説明してきたが、本発明はこれに限定されずに種々の変更、改良を行うことができる。
例えば、突起部６２の貫通孔６１に対する設け方は、コンタクト２の斜め挿入を解消する方向の回転モーメントをコンタクト２に付与し、コンタクト２のうち一括シール部材５０に接触して損傷を与える部分となるコンタクト２の先端部に接触する位置であれば、貫通孔６１のコンタクト挿入向きにおいて中央よりも奥側に設けられている必要は必ずしもない。
【００３９】
また、突起部６２の形状は、コンタクト２に対してコンタクト２の斜め挿入を解消する方向の回転モーメントを付与する形状であれば、図示した形状に限られない。
また、防水コネクタ１は、ハウジングのコンタクト挿入向き手前側に配置された一括シール部材と、一括シール部材のコンタクト挿入向き手前側に位置して一括シール部材をハウジングに対して押え付ける一括シール押え付け部材とを有する防水構造を備えるものであれば、倍力機構を採用したレバー式コネクタに限られない。
【図面の簡単な説明】
【００４０】
【図１】本発明に係る防水構造を備えた防水コネクタの分解斜視図である。
【図２】一括シール部材を示し、（Ａ）は正面図、（Ｂ）は（Ａ）の２Ｂ−２Ｂ線に沿う断面図である。
【図３】アウターハウジングを示し、（Ａ）は平面図、（Ｂ）は正面図である。
【図４】アウターハウジングに設けられた貫通孔を示し、（Ａ）は貫通孔を正面側から見た図３（Ｂ）の矢印４Ａで示す部分の拡大図、（Ｂ）は（Ａ）の４Ｂ−４Ｂ線に沿う断面図、（Ｃ）は貫通孔を背面側から見た拡大図である。
【図５】コンタクトを示し、（Ａ）は斜視図、（Ｂ）は側面図、（Ｃ）はリセプタクル部の断面図である。
【図６】コンタクト収容時における突起部の作用を説明するもので、（Ａ）は縦断面図、（Ｂ）は（Ａ）の６Ｂ−６Ｂ線に沿う断面図である。
【図７】コンタクト収容時における突起部がない場合の作用を説明するもので、（Ａ）は縦断面図、（Ｂ）は（Ａ）の７Ｂ−７Ｂ線に沿う断面図である。
【図８】従来例の防水コネクタの断面図である。
【図９】従来の他の例の防水コネクタの主要部の断面図である。
【符号の説明】
【００４１】
１  防水コネクタ
２  コンタクト
３ｆ  先端部（一括シール部材に接触して損傷を与える部分）
１０  インナーハウジング（ハウジング）
１１  コンタクト収容キャビティ
５０  一括シール部材
５１  挿通孔
６０  アウターハウジング（一括シール押え付け部材）
６１  貫通孔
６２  突起部
【図１】
0004553953.tif 000002
【図２】
0004553953.tif 000003
【図３】
0004553953.tif 000004
【図４】
0004553953.tif 000005
【図５】
0004553953.tif 000006
【図６】
0004553953.tif 000007
【図７】
0004553953.tif 000008
【図８】
0004553953.tif 000009
【図９】
0004553953.tif 000010